(57)【要約】【課題】  スムーズな動作が可能となり、画像処理の並行処理の性能を最大限にすることを目的とする。【解決手段】  一連の画像処理に必要なメモリを、画像データの原稿サイズおよび画像作成時に用いた目標圧縮率でモデリングし、これらのパラメタから一意に必要なメモリサイズ一面の上限を決定する。さらには、これらのメモリの必要面数を計算して、まとめて獲得し、個別に処理に渡す。【選択図】        図１
2005275857.tif 000002
【特許請求の範囲】
【請求項１】
画像一時記憶装置と、
画像一時記憶装置に画像データを入力する画像入力装置と、
画像一時記憶装置から画像データを出力する画像出力装置と、
画像一時記憶装置に入力された画像データを蓄積し、かつ、蓄積した画像データを画像一時記憶装置に出力する画像蓄積装置と、
画像一時記憶装置の画像データを読み取り、変換を行って画像一時記憶装置に変換後の画像データを出力する画像変換装置と、
画像蓄積装置、画像入力装置、画像出力装置、画像変換装置の処理内容を決定する画像処理決定手段と、
画像処理決定手段によって決定された処理における画像一時記憶装置上の出力領域を決定する画像一時記憶領域決定手段と、
から構成される画像入出力装置において、
画像一時記憶領域決定手段は、１ページの画像データの処理開始時に、画像データの紙サイズと、ジョブに設定された画質パラメタのうち、目標圧縮率から必要な画像記憶領域のサイズを計算し、一連の処理に必要な領域数分の面数の画像一時記憶領域を割り当てることを特徴とするカラー画像入出力装置。
【請求項２】
請求項１の画像入出力装置において、続けて次ページの画像データの処理する場合、次のページの処理開始時に前ページの処理内容と、紙サイズおよび目標圧縮率が同一であるか判断し、同一である場合には画像一時記憶領域の割り当てを変えず、前のページの１処理が終了してから、次のページの同じ処理に対して同じ領域を使用して処理を実行することを特徴とするカラー画像入出力装置。
【請求項３】
請求項１の画像入出力装置において、続けて次ページの画像データの処理する場合、次のページの処理開始時に前ページの処理内容と、紙サイズおよび目標圧縮率が同一であるか判断し、同一でない場合には、画像一時記憶領域の割り当てを変えるために、前のページの一連の処理が終了してから、次のページの同じ処理に対して再度領域を計算して割り当て、処理を実行することを特徴とするカラー画像入出力装置。
【発明の詳細な説明】
【技術分野】
【０００１】
本発明は、画像入力機能と画像出力機能と画像変換機能と画像蓄積機能を有する画像入出力装置に関するものである。
【背景技術】
【０００２】
画像の蓄積および入出力をするような複合複写機の場合、画像データの蓄積はＨＤＤのような大容量低速記憶装置で行い、スキャンやプリントのような入出力をする際にはＨＤＤ上の画像データを入出力が高速なＤＲＡＭに移してから実行している。このとき、ＤＲＡＭ上に画像メモリとしてある領域を割り当てるが、従来は入出力を実行する直前に画像メモリの獲得を行っていた（特許文献１参照）。
【特許文献１】特開平１１−２３９２３５号公報
【発明の開示】
【発明が解決しようとする課題】
【０００３】
近年の複合複写機では搭載される機能が多くなったため、複雑な画像処理を実行するようになっている。このため、画像の変倍、回転、色空間変換、孤立点除去といった画像処理も画像メモリ上で行うような場合が多くなってきた。また、複合複写機では画像の入力や出力、画像処理を並行して実行するときの性能が求められている。しかし、入出力あるいは画像処理の直前に画像メモリを獲得するような単純な方式では画像メモリの使用効率と並行動作の性能を両立することはできなかった。また、カラー画像処理では、画像データはメモリ上で圧縮されているため、画素数から単純にメモリサイズを計算することができない。また回転後に再度圧縮をかけるとメモリサイズが変化しうる。そこで画像処理メモリサイズを決定するアルゴリズムが複雑であった。
【０００４】
本発明は、以上の点に着目して成されたもので、一連の画像処理に必要なメモリを、画像データの原稿サイズおよび画像作成時に用いた目標圧縮率でモデリングし、これらのパラメタから一意に必要なメモリサイズ一面の上限を決定し、さらには、これらのメモリの必要面数を計算して、まとめて獲得し、個別に処理に渡す。これによりスムーズな動作が可能となり、画像処理の並行処理の性能を最大限にするカラー画像入出力装置を提供することを目的とする。
【課題を解決するための手段】
【０００５】
前記のような課題を解決するため、本発明では、画像を読み出して、色変換、変倍、回転のような一連の画像処理を実行する際に、色変換処理後の出力メモリ、変倍後の出力メモリ、回転後の出力メモリを個別に獲得するのではなく、一連の画像処理に必要なメモリを、画像データの原稿サイズおよび画像作成時に用いた目標圧縮率でモデリングし、これらのパラメタから一意に必要なメモリサイズ一面の上限を決定する。さらには、これらのメモリの必要面数を計算して、まとめて獲得し、個別に処理に渡す、という方法をとり、個々の変換自体は、複数のジョブが並列で動作するように構成する。いわば画像処理のパイプラインといった構成である。さらには、次のページの、画像サイズおよび画像作成時に指定された目標圧縮率の双方が同じであれば、前のページの画像処理終了時に、次のページに同じメモリを渡す。これによりスムーズな動作が可能となり、画像処理の並行処理の性能を最大限にすることができる。
【０００６】
さらに、本発明では、ページ間で画像サイズおよび目標圧縮率を比較し、これらのパラメタがページ間で違っている場合にはメモリの獲得の仕方（画像メモリの各処理への配分）を変更してから次のページの処理を開始することにより、様々な画像処理パスへの対応を柔軟に行うことができる。
【０００７】
なお、さらに詳細に説明すれば、本発明は下記の構成によって前記課題を解決できた。
【０００８】
（１）画像一時記憶装置と、画像一時記憶装置に画像データを入力する画像入力装置と、画像一時記憶装置から画像データを出力する画像出力装置と、画像一時記憶装置に入力された画像データを蓄積し、かつ、蓄積した画像データを画像一時記憶装置に出力する画像蓄積装置と、画像一時記憶装置の画像データを読み取り、変換を行って画像一時記憶装置に変換後の画像データを出力する画像変換装置と、画像蓄積装置、画像入力装置、画像出力装置、画像変換装置の処理内容を決定する画像処理決定手段と、画像処理決定手段によって決定された処理における画像一時記憶装置上の出力領域を決定する画像一時記憶領域決定手段と、から構成される画像入出力装置において、画像一時記憶領域決定手段は、１ページの画像データの処理開始時に、画像データの紙サイズと、ジョブに設定された画質パラメタのうち、目標圧縮率から必要な画像記憶領域のサイズを計算し、一連の処理に必要な領域数分の面数の画像一時記憶領域を割り当てることを特徴とするカラー画像入出力装置。
【０００９】
（２）前記（１）の画像入出力装置において、続けて次ページの画像データの処理する場合、次のページの処理開始時に前ページの処理内容と、紙サイズおよび目標圧縮率が同一であるか判断し、同一である場合には画像一時記憶領域の割り当てを変えず、前のページの１処理が終了してから、次のページの同じ処理に対して同じ領域を使用して処理を実行することを特徴とするカラー画像入出力装置。
【００１０】
（３）前記（１）の画像入出力装置において、続けて次ページの画像データの処理する場合、次のページの処理開始時に前ページの処理内容と、紙サイズおよび目標圧縮率が同一であるか判断し、同一でない場合には、画像一時記憶領域の割り当てを変えるために、前のページの一連の処理が終了してから、次のページの同じ処理に対して再度領域を計算して割り当て、処理を実行することを特徴とするカラー画像入出力装置。
【発明の効果】
【００１１】
本発明によれば、画像メモリの管理をすることにより、画像処理の並列実行性能を最大にすることができ、さらに画像処理パスの変化に対応することが可能になる。
【発明を実施するための最良の形態】
【００１２】
以下本発明を実施するための最良の形態を、実施例により詳しく説明する。
【実施例１】
【００１３】
以下、本発明にかかる一実施形態について、図面を参照して詳細に説明する。
【００１４】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインターフェースである操作部２１１２から構成される。スキャナ部２０７０、プリンタ部２０９５、操作部２１１２は、それぞれＣｏｎｔｒｏｌｌｅｒ  Ｕｎｉｔ  ２０００に接続され、Ｃｏｎｔｒｏｌｌｅｒ  Ｕｎｉｔ  ２０００は、ＬＡＮ  ２１１１などのネットワーク伝送手段、公衆回線に接続されている。公衆回線からはカラー画像送信を含むＧ３、Ｇ４ファックスによる送信が可能である。また、ＬＡＮ  ２１１１には、画像形成装置２００と同様の機器構成をもつ他の画像形成装置２２０、２３０が接続されえている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００１５】
図２は、画像形成装置の構成を説明するブロック図である。Ｃｏｎｔｒｏｌｌｅｒ  Ｕｎｉｔ  ２０００は画像入力デバイスであるカラースキャナ２０１５や画像出力デバイスであるカラープリンタ２０１７と接続し、一方ではＬＡＮ２００８や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００５は操作部（ＵＩ）２００６とインタフェース部で、操作部２００６に表示する画像データを操作部２００６に対して出力する。また、操作部２００６から本システム使用者が入力した情報を、ＣＰＵ２００１に伝える役割をする。Ｎｅｔｗｏｒｋ２００７はＬＡＮ２００８に接続し、情報の入出力を行う。Ｍｏｄｅｍ２０５０は公衆回線２０５１に接続し、画像情報の入出力を行う。２値画像回転２０５２、および２値画像圧縮・伸張２０５３はＭｏｄｅｍ２０５０で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨをサポートしている。ＤＭＡＣ２００９はＤＭＡコントローラであり、ＲＡＭ２００２に格納されている画像をＣＰＵ２００１を介することなく読み取りＩｍａｇｅＢｕｓＩ／Ｆ２０１１に対して画像転送する、もしくは画像バスからの画像をＣＰＵ２００１を介することなくＲＡＭ２００２に書き込む。以上のデバイスがシステムバス２００８に接続される。ＩｍａｇｅＢｕｓＩ／Ｆ２０１１は画像バス２０１０を介して高速な画像の入出力を制御するためのインタフェースである。圧縮器２０１２は画像バス２０１０に画像を送出する前に３２画素ｘ３２画素の単位でＪＰＥＧ圧縮するための圧縮器である。伸張器２０１３は画像バス２０１０を介して送られた画像を伸張するための伸張器である。
【００１６】
ラスターイメージプロセッサ（ＲＩＰ）２０１８はホストコンピュータからのＰＤＬコードをＮｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力し、ビットマップイメージ（多値）に展開する。スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。画像変換部２０３０はＲＡＭ上にある画像を画像変換し、再度、ＲＡＭ２０３０に書き戻すときに使われる各種画像変換機能を有する。回転器２０１９は３２画素ｘ３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２ｘ３２画素の画像を３２ライン単位の画像に並び替える。色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３ｘ８のマトリクス演算および、１次元ＬＵＴをもち、公知の下地とばしや裏写り防止を行うことができる。変換された画像は多値で出力される。２値多値変換２０２２は１ｂｉｔ２値画像を多値８ｂｉｔ、２５６階調にする。逆に多値２値変換２０２６はたとえばメモリ上にある８ｂｉｔ、２５６階調の画像を誤差拡散処理などの手法により１ｂｉｔ、２階調に変換し、メモリ上に格納する。合成はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は、両処理をメモリを介さずに連結して行うことができる。
【００１７】
図３に画像の形式を示す。本発明で使用される画像の形式は特開２００１−１０３４７３号公報で開示されている画像パケット構造を利用する。圧縮２０１２ではラスター形式の画像を、図３のごとく３２ｘ３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダーとする。文字、写真を示す２値のデータ（像域フラグ）も同様に圧縮して、ＪＰＥＧの後ろに付随させる。図４にパケットデータを示す。伸張２０１３ではこのヘッダー情報をもとにＪＰＥＧを展開し、ラスター画像に並び替える。このようなパケット画像にすることで、画像回転のときにはパケット内部の画像のみを回転し、パケットＩＤの位置を変更することで、部分的に伸張圧縮で回転することができるため非常に効率がよい。ＩｍａｇｅＢｕｓ２０１０を流れる画像はすべてパケット画像になる。
【００１８】
また、画像をメモリ上で扱う場合には、パケットテーブルを用いる。パケットテーブルは１要素が１つのパケットの先頭アドレスとサイズになっており、これを主走査、副走査に並べることにより一つの画像を示している。パケットテーブルを用いることにより、画像を構成するパケットがメモリ上で離散的に配置されている場合でも一つの画像として扱うことが可能になる。
【００１９】
ＦＡＸ送信や２値画像回転２０５２、２値画像圧縮、伸張２０５３などでラスター画像が必要な場合は、パケット画像からラスター画像への変換をソフトウェアによって行う。
【００２０】
図５にスキャナ画像処理２０１４の詳細説明を示す。スキャナから入力されたＲＧＢ各８ｂｉｔの輝度信号はマスキング２５０１によりＣＣＤのフィルタ色に依存しない標準的なＲＧＢ色信号に変換される。フィルタ２５０２ではたとえば９ｘ９のマトリクスを使用し、画像をぼかしたり、メリハリをつける処理が行われる。ヒストグラム２５０３は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ２５０４では画像全体の濃度を濃くあるいは薄くするように処理が行われる。たとえば入力画像の色空間を任意の色空間に変換したり、入力系の色味に関する補正処理を行う部分である。原稿がカラーか白黒かを判断するために変倍前の画像信号を色空間変換２５０５によって公知のＬａｂに変換する。このうちａ，ｂは色信号成分を表しており、比較器２５０６内の所定のレベル以上であれば有彩色、そうでなければ無彩色として１ｂｉｔの判定信号を比較器２５０６から出力する。カウンタ２５０７は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。２５０９は特定原稿判定器である。特定原稿判定器は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００２１】
図６にプリンタ画像処理２０１６の詳細説明を示す。
【００２２】
２６０１は画像データの地色をとばし、不要な下地のカブリ除去を行う。たとえば、３×８のマトリクス演算や、１次元ＬＵＴにより下地とばしを行う。これは前述したように２０３２にも含まれる機能であり、まったく同等の回路である。２６０２はカラー画像データをモノクロデータに変換し、単色としてプリントする際に、カラー画像データ、たとえばＲＧＢデータを、Ｇｒａｙ単色に変換するモノクロ生成部である。たとえば、ＲＧＢに任意の定数を掛け合わせ、Ｇｒａｙ信号とする１×３のマトリクス演算から構成される。２６０３は画像データを出力するプリンタ部の特性に合わせて色補正を行う出力色補正部である。たとえば、４×８のマトリクス演算や、ダイレクトマッピングによる処理から構成される。２６０４は画像データの空間周波数を任意に補正するフィルタ処理部であり、たとえば９×９のマトリクス演算を行う処理から構成される。２６０５は出力するプリンタ部の特性に合わせて、ガンマ補正を行う処理であり、通常１次元のＬＵＴから構成される。２６０６は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ２６０７はＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００２３】
画像入出力デバイスを図７に示す。画像入力デバイスであるスキャナ部２０１５は、原稿となる紙上の画像を照明し、ＣＣＤラインセンサ（図示せず）を走査することで、ラスターイメージデータとして電気信号に変換する。原稿用紙は原稿フィーダ２７０１のトレイ２７０２にセットし、装置使用者が操作部２００６から読み取り起動指示することにより、コントローラＣＰＵ２００１がスキャナ２０１５に指示を与え、フィーダ２０７１のトレイ２７０２から原稿用紙を１枚ずつフィードし原稿画像の読み取り動作を行う。
【００２４】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００２５】
操作部２００６の構成を図８に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。スタートキー２８０３は原稿画像の読み取り動作を開始する時などに用いる。スタートキー２８０３中央部には、緑と赤の２色ＬＥＤ２８０４があり、その色によってスタートキー２８０３が使える状態にあるかどうかを示す。ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００２６】
図９は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００２７】
図１０は３１０５を押下したときに表示されるポップアップウィンドウである。３２０１は読みとり原稿サイズをポップアップのなかから選択入力し、設定された読みとりサイズは３２０２に表示される。３２０３は原稿の読み取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読み取りの解像度を指定するためポップアップからの選択入力になる。３２０５は原稿の読み取り濃度を調整するためのスライダであり、９段階の調整が行える。３２０６は新聞のように下地がかぶった画像を読み込む場合に、濃度を自動的に決定するためにある。３２０６についてはコピーでも同様の設定が可能である。
【００２８】
図１１にコピータブ３１０１を押下したときの画面を示す。３３０１はコピーできる状態が否かを示すところであり、同時に設定したコピー部数も表示される。３３０２は３２０６と同等の機能であり、下地除去を自動的にするかしないかを選択するためのボタンである。３３０３は３２０５と同等の機能であり、９段階の濃度調整が可能なスライダである。３３０４は原稿のタイプを選択するところであり、文字・写真・地図、文字、印画紙写真、印刷写真が選択できる。３３０５は応用モードボタンであり、縮小レイアウト（複数枚の原稿を１枚の用紙に縮小印字する機能）や、カラーバランス（ＣＭＹＫの各色微調整）などが設定できる。３３０６は各種フィニッシングにかかわる設定を行うボタンであり、シフトソート、ステープルソート、グループソートが設定できる。３３０７は両面読み込み、および、両面印刷にかかわる設定を行うボタンである。
【００２９】
図１２にボックスタブ３１０３を押下したときの画面を示す。３４０１はＨＤＤを論理的に区分した各フォルダを示す。フォルダにはフォルダ番号が予め割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。
【００３０】
図１３に３４０１を押下したときの画面を示す。３５０１および３５０２はフォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。３５０３は選択された文書を送信するためのボタンである。３５０４はスキャナから原稿を読み込み、文書を生成するためのボタンである。３５０５はフォルダ内のすべての文書を選択するためのボタンである。３５０６は選択された文書を削除するためのボタンである。３５０７は選択された文書を印刷するためのボタンである。３５０８は選択された文書を編集するためのボタンである。たとえば２つの文書を選択して、結合し、１つの文書にして保存したり、特定のページを削除する機能を持っている。３５０９は最後に選択された文書の詳細情報を表示するためのボタンである。文書名以外にも解像度、原稿サイズ、カラーなどの情報をみることができる。
【００３１】
図１４にソフト構成図を示す。４０１０は表示操作部を制御するＵＩ制御部、ＵＩ制御部からの指示を受け、コピー動作、送信動作、ボックス画面からのスキャン、プリントを実行するコピーアプリケーション部４０２０、送信アプリケーション部４０２１、ＢＯＸアプリケーション部４０２２がある。またネットワークアプリケーション４１２０からのＰＤＬプリントデータを受けＰＤＬプリントジョブを投入するＰＤＬアプリケーション部４０２３がある。
【００３２】
４０３０は機器制御部分の機器依存部分を吸収するための共通インタフェース部分、４０４０は共通インタフェースから受け取ったジョブ情報を整理し、下位層のページ処理部に伝達するジョブマネージャである。ジョブマネージャは内部的にジョブ種ごとに分かれており、コピージョブをキューイングして管理するコピージョブ管理部４０４１、同スキャンジョブ管理部４０４２、プリントジョブ管理部４０４３、ＰＤＬジョブ管理部４０４４、送信ジョブ管理部４０４５、ＦＡＸジョブ管理部４０４６があり、各ジョブの管理を行う。
【００３３】
画像ページ処理部４１００は、ローカルコピーであればコピージョブ管理部４０４１、スキャンジョブ管理部４０４２、プリントジョブ管理部４０４３、スキャンページ処理部４０５０、プリントページ処理部４０９０との間の同期をとり、資源管理部４１１０から画像処理に必要なメモリ群４１３０および、各種画像処理を行う画像処理デバイス群４１２０などの資源を獲得し、画像処理を行う。
【００３４】
資源管理部４１１０は、内部的にデバイス管理部４１１１と、メモリ管理部４１１２により構成され、それぞれは、画像変換デバイス群４１２０、またはメモリデバイス群４１３０の使用状況や使用者の優先度を保持し、スケジューリングして獲得、解放を制御している。また実際の資源獲得を行うことなく、ジョブ実行前の獲得可能判別や、ジョブ実行前に獲得予約を行い、ジョブ終了まで他に獲得させない排他制御もここで行う。
【００３５】
文書管理部４１４０は、ジョブ、文書、ページ、イメージにまつわる各属性値、たとえば画像サイズや目標圧縮率等をＳＲＡＭデバイス４１６０に保持し、実画像データをＨＤＤデバイス４１５０に書き込み、読み出しを制御する。
【００３６】
スキャンページ処理部４０５０は、スキャンデバイス４０５１を制御し、画像データをスキャナから入力し、画像ページ処理部４１００に画像データの書き込みを依頼する。
【００３７】
ＰＤＬページ処理部４０６０は、ＰＤＬデバイス４０６１を制御し、画像データをネットワークから入力し、画像ページ処理部４１００に画像データの書き込みを依頼する。
プリントページ処理部４０９０は、画像ページ処理部４１００から画像データの読み出しを依頼し、プリンタデバイス４０９１を制御して、画像データをプリンタに出力する。
【００３８】
ＳＥＮＤページ処理部４０７０は、画像ページ処理部４１００から画像データの読み出しを依頼し、ネットワークデバイス４１７０を制御して、画像データをネットワークに出力する。また、受信時には、画像データをネットワークから入力し、画像ページ処理部４１００に画像データの書き込みを依頼する。
【００３９】
ＦＡＸページ処理部４０８０は、画像ページ処理部４１００から画像データの読み出しを依頼し、ＦＡＸデバイス４１８１を制御して、画像データを公衆回線に出力する。また、受信時には、画像データを公衆回線から入力し、画像ページ処理部４１００に画像データの書き込みを依頼する。
【００４０】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブ管理部４０４０に伝える。ジョブ管理部４０４０はコピージョブ管理部４０４１にジョブの情報を伝達し、コピージョブ管理部４０４１は、コピーに必要な画像変換デバイスおよび画像蓄積メモリを予め計算し、必要なものを資源管理部４１１０に伝える。ここで資源が獲得できる見込みがあれば、ジョブを継続し、スキャンジョブ管理部４０４２とプリントジョブ管理部４０４３にジョブの情報を伝達する。
【００４１】
スキャンジョブ管理部４０４２は、スキャンページ処理部４０５０を経由して、スキャンデバイス４０５１（スキャンデバイス４０５１はコントローラ２０００とスキャナ２０７０を結ぶシリアルＩ／Ｆを制御する）を介してスキャナ２０７０にスキャン要求を行う。また、同時に画像ページ処理部４１００にスキャン用の画像処理要求を出す。
【００４２】
画像ページ処理部４１００はスキャンページ処理部４０５０の指示に従って、資源管理部４１１０からスキャンの画像処理に必要な画像変換デバイスおよび画像蓄積メモリを獲得する。資源がすべて獲得できれば、画像変換デバイスを介して、スキャナ画像処理部２０１４の設定を行う。
【００４３】
設定が完了したら、スキャナ２０７０に対して直ちにスキャンを指示する。スキャン画像転送完了は図示しないハードウェアからの割り込み信号によって各画像変換デバイスに伝わる。
【００４４】
画像ページ処理部４１００は、各画像処理デバイスからのスキャン画像処理完了を受けて、スキャン完了をスキャンページ処理部４０５０、プリントページ処理部４０９０に伝える。同時に画像ページ処理部４１００はＲＡＭ２００２に蓄積された圧縮画像をＨＤＤ２００４にファイル化するため文書管理部４１４０に書き込み指示する。文書管理部４１４０は指示に従ってメモリ上の画像（文字／写真判定信号を含めて）をＨＤＤデバイス４１５０（ハードウェアとしてはＨＤＤ２００４）に格納する。画像の付随情報としてＳＲＡＭデバイス４１６０にカラー判定／白黒判定結果、下地とばしを行うための下地とばしレベル、画像入力元としてスキャン画像、色空間ＲＧＢ、画像サイズ、目標圧縮率も格納しておく。また、画像ページ処理部４１００は、ＨＤＤ２００４への格納が終了し、スキャナ２０７０からのスキャン完了を受けたら、スキャンページ処理部４０５０にファイル化終了を通知する。
【００４５】
スキャンページ処理部４０５０は、スキャンジョブ管理部４０４２を経由して、コピージョブ管理部４０４１に処理終了通知を返し、ジョブ管理部４０４０は、共通インタフェース４０３０を経由して、コピーアプリケーション４０２０に対して終了通知を返す。
【００４６】
プリントページ処理部４０９０はメモリに画像が入った時点でプリンタデバイス４０９１を経由して、デバイスＩ／Ｆを制御し、プリンタ２０９５に印刷要求をだす。同時に画像ページ処理部４１００にプリント画像処理要求を行う。画像ページ処理部４１００はプリントページ処理部４０９０から要求を受けたら、プリントページ処理部４０９０の指示に従って、資源管理部４１１０からプリントの画像処理に必要な画像変換デバイスおよび画像蓄積メモリを獲得する。資源がすべて獲得できれば、獲得した画像変換デバイスを介して、プリント画像処理部２０１６の設定を行う。設定が完了したら、プリントページ処理部４０９０にプリント準備完了を伝える。プリントページ処理部４０９０はプリンタに対して印刷指示を出す。
【００４７】
画像ページ処理部４１００は、各画像処理デバイスからのプリント画像処理完了を受けて、プリント画像転送完了とプリント完了をプリントページ処理部４０９０に伝える。プリントページ処理部４０９０はプリンタデバイス４０９１からの排紙完了を受け、プリントジョブ管理部４０４３を経由して、コピージョブ管理部４０４１に処理終了通知を返し、ジョブ管理部４０４０は、共通インタフェース４０３０を経由して、コピーアプリケーション４０２０に対して終了通知を返す。
【００４８】
コピーアプリケーション部４０２０はスキャン、プリントが終了したらジョブ終了をＵＩ制御部４０１０に通知する。
【００４９】
リモートコピーのスキャンジョブ、送信ジョブの場合は、プリントページ処理部４０９０に代わって送信ページ処理部４０７０または、ファクスページ処理部４０８０がジョブ管理部４０４０からの要求を受ける。スキャン画像をＨＤＤに格納し終わった時点で、画像ページ処理部４１００から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、共通インタフェース４０３０経由で、送信ページ処理部４０７０に対してＨＤＤに格納されたファイルの送信を依頼する。依頼を受けた送信ページ処理部４０７０は、ネットワークデバイス４１７０を経由してファイルを送信する。送信アプリケーション４０２１はジョブ開始時にコピーアプリケーション部４０２０からコピーに関する設定情報を受け、それもリモート側の機器に通知する。送信アプリケーション４０２１は、リモートコピーの場合、機器固有の通信プロトコルを使用して送信を行う。また送信ジョブの場合はＦＴＰ、ＳＭＢ、Ｇ３ＦＡＸのような標準的なファイル転送プロトコルを使用する。
【００５０】
ファクス送信する場合はファイル格納後、送信アプリケーション４０２１から共通インタフェース４０３０、ジョブ管理部４０４０、ファクスジョブ管理部４０４６に送信が伝わる。ファクスジョブ管理部４０４６は、文書管理部４１４０経由で、送信用の画像情報をＳＲＡＭデバイス４１６０から読み出す。送信用の画像の内、最大ページサイズのものを抽出して、必要なメモリサイズと、必要な画像変換デバイスを決定し、資源管理部４１１０にジョブリソース予約を行う。ここで資源が予約できれば、直ちにジョブを開始し、ＦＡＸページ処理部４０８０に送信を指示する。また、ここで回線やメモリや変換デバイスといった必要な資源が取れない場合は、次の起動がかかるまで、送信待ちとして、ジョブキューに積まれる。
【００５１】
ＦＡＸページ処理部４０８０に送信が指示されると、ＦＡＸページ処理部４０８０は、ＦＡＸデバイス４０８１を制御し、Ｍｏｄｅｍ２０５０を介して、相手機器とネゴシエーションし、必要な画像処理（カラー−＞白黒変換、多値２値変換、回転、変倍）を決定し、画像ページ処理部４１００に依頼する。画像ページ処理部は、資源管理部から予約されていた画像変換デバイス、メモリデバイスを獲得し、画像変換要求を、画像変換デバイスに出す。画像変換が終わり、ＦＡＸページ処理部に変換通知を行うと、ＦＡＸページ処理部は、変換後の画像をＦＡＸデバイス４０８１経由で、Ｍｏｄｅｍを使って送信する。
【００５２】
また、送信先にプリンタがある場合、送信アプリケーション４０２１は共通インタフェース４０３０を介してプリントジョブとしてプリントの指示を行う。そのときの動作は以下で説明するリモートコピーのプリントジョブの場合と同様である。また、送信宛先が機器内のボックス宛先になっているときは文書管理部４１４０を経由して、機器内のファイルシステムに格納する。
【００５３】
ＦＡＸ受信時はＦＡＸデバイス４０８１がＭｏｄｅｍを使って画像を受信し、画像ファイルとしてＨＤＤデバイス４１５０および画像情報としてＳＲＡＭデバイス４１６０に格納する。ＨＤＤデバイス４１５０格納後にボックスアプリケーション４０２２に通知すると、ボックスアプリケーション４０２２から受信プリントの指示が共通インタフェース４０３０を介して、ジョブ管理部４０４０になされる。その後は通常のボックスプリントジョブと同じ動作になるため省略する。
【００５４】
リモートコピーのプリントジョブの場合は、送信側からの画像をネットワークアプリケーション４１２０がＨＤＤに保存するとともにコピーアプリケーション部４０２０に対してジョブを発行する。コピーアプリケーション部４０２０は共通インタフェース４０３０を介してジョブ管理部４０４０にプリントジョブを投入する。ローカルコピーとは異なり、スキャンジョブ管理部４０４２は使用せず、スキャンページ処理部４０５０に代わって画像ページ処理部４１００がコピージョブ管理部４０４１からの要求を受ける。受信画像をＨＤＤからメモリに展開するための要求を画像ページ処理部４１００に行う。画像ページ処理部４１００は必要なメモリデバイスを獲得し、メモリに画像を展開する。画像ページ処理部４１００は展開が終了した時点で、展開終了をプリントページ処理部４０９０に伝える。プリントページ処理部４０９０はメモリに画像が入った時点でプリンタデバイス４０９１を制御し、デバイスＩ／Ｆを介して、プリンタ２０１７にプリントジョブ管理部４０４３から指示された給紙段、もしくはその用紙サイズを有する段を選択し、印刷要求をだす。自動用紙の場合には画像サイズから給紙段を決定し印刷要求をだす。画像ページ処理部４１００にプリント画像処理要求を行う。画像ページ処理部４１００はプリントマネージャ４０９０から要求を受けたら、プリント画像処理に必要な（たとえば最適サイズ用紙がなくなり、回転が必要になれば回転デバイスも獲得する。）画像変換デバイスおよびメモリデバイスを獲得し、プリント画像処理設定を各画像変換デバイスに設定する。その後は通常のローカルコピージョブと同じ動作になるため省略する。
【００５５】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブ管理部４０４０に指示する。ジョブ管理部４０４０は、画像ページ処理部４１００とＰＤＬジョブ管理部４０４４経由で、ＰＤＬページ処理部４０６０に要求を出す。画像のＲＩＰが終了した後の画像入力する部分に関しては前述のスキャンジョブと同様である。画像ページ処理部４１００は、文書管理部４１４０を介して、メモリ上の画像（文字／写真判定信号を含めて）をＨＤＤ２００４に格納する。画像の付随情報としてＳＲＡＭデバイス４１６０にカラー／白黒情報、画像入力元としてＰＤＬ画像、色空間ＣＭＹＫもしくはＲＧＢ、画像サイズ、目標圧縮率も格納しておく。ＰＤＬ画像をＨＤＤ２００４に格納し終わった時点で、画像ページ処理部４１００から格納完了通知を受け、それを共通インタフェース４０３０を介してＰＤＬアプリケーション４０２３に通知する。ＰＤＬアプリケーション４０２３はこの通知のあと、ネットワークアプリケーション４１２０にＨＤＤに格納完了を通知し、ＰＤＬプリントを投入したホストＰＣへこの情報が伝達される。また、ＰＤＬプリントジョブの場合にはＰＤＬページ処理部４０６０とプリントページ処理部４０９０によって、メモリ上に展開された画像を印字する。
【００５６】
ＰＤＬ展開され格納された画像のプリントはＵＩで印刷指示された格納文書をＢＯＸアプリケーションに対してプリントジョブとして発行する。ＢＯＸアプリケーション部４０２２は共通インタフェース４０３０を介してジョブ管理部４０４０にプリントジョブを投入する。この後の動作はリモートコピーのプリントジョブで説明した動作と同様のため、省略する。
【００５７】
図１５は、画像メモリの管理の方法の模式図である。画像メモリ管理には、面管理テーブルとブロック管理テーブルを用いる。ブロック管理テーブルは実メモリ上の領域のアドレスとサイズ、次のブロックへのポインタ、使用中フラグから成る。ブロック管理テーブルの実メモリ上の領域のアドレスとサイズの指し示す領域が画像処理に使用される。また、そのブロックが使用されているときには使用中フラグに１を入れ、使用されていないときには０を入れる。また、ブロック管理テーブルには次のブロックを指し示すポインタがあり、これを用いてブロック管理テーブルをリスト形式にすることにより複数のブロックをまとめて使用することができる。このまとめた複数のブロックを１面として管理するのが面管理テーブルである。面管理テーブルは用途、すなわち画像処理の種別と先頭ブロックへのポインタ、割当済みフラグ、使用中フラグから成る。画像処理の種別はスキャン用、変倍用、回転用、ＨＤＤ読出し用など、画像データをメモリ上へ書き込む際の処理の内容である。先頭ブロックへのポインタが指し示すブロック管理テーブルによって面管理テーブルが使用する１面の画像メモリを表現する。使用中フラグは、画像処理が実行されているかどうかに関わらず、その面が使用されているかどうかのフラグである。実行中フラグは、実際に画像処理が実行されているかどうかのフラグである。
【００５８】
ここで、本発明において特徴的な画像メモリのハンドリングについて説明する。
【００５９】
まず、図１６、図１７、図１８の具体例を用いてプリント時の画像ページ処理部４１００の動作を説明する。図１７はプリント時の画像パスの例であり、１ページ目と２ページ目はＨＤＤからスモールサイズの画像データを読み出し、それを回転してプリント、３ページ目はＨＤＤからラージサイズの画像データを読み出し、回転せずにプリント、という処理を実行する画像パスである。
【００６０】
このときの画像ページ処理部４１００の処理実行手順をシーケンス図として示したのが図１６である。図１６において、画像ページ処理部４１００は４つの内部モジュールに分割されており、それぞれ画像処理決定部、１ページ目の画像処理実行部、２ページ目の画像処理実行部、３ページ目の画像処理実行部となる。また図中の画像メモリ管理部は、図１４で説明したメモリ管理部４１１２である。
【００６１】
１ページ目のプリントページ処理部４０９０から、１ページ目の画像ページ処理部４１００に１ページ目の処理開始が通知されると、ステップ５１０１で画像処理決定部は１ページ目の画像パスを決定し、図１７中のテーブル５２０１に決定した内容を書き込む。テーブル５３０１には各画像処理の処理内容、ここではＨＤＤ読み出し、回転、プリント、と、各画像処理の入出力色空間、入出力解像度、入出力画素数、回転角度、入出力圧縮形式、目標圧縮率等をしめす値が格納される。そして、画像処理決定部はテーブル５３０１を画像メモリ管理部に通知する。画像メモリ管理部ではテーブル５２０１に基づいて画像メモリの配分を決定し、ここではＨＤＤ読出し用のメモリと、回転用のメモリの面管理テーブルの使用中フラグに１を立てることにより面管理テーブルを割当て、さらにそれぞれの面管理テーブルにメモリブロックを割り当てる。続けて、ステップ５１０２で画像処理決定部は１ページ目の画像処理開始を１ページ目の画像処理実行部に通知する。１ページ目の画像処理実行部はステップ５１０３でＨＤＤ読出し用のメモリの獲得を画像メモリ管理部へ要求する。画像メモリ管理部はこの要求に応じて、ステップ５１０４でＨＤＤ読出し用メモリの面管理テーブルの実行中フラグに１を立てるとともに先頭のブロック管理テーブルを１ページ目の画像処理実行部へ通知する。１ページ目の画像処理実行部はステップ５１０５でＨＤＤ読出しを開始し、これによってＨＤＤ読出し用メモリへ画像データが格納される。ステップ５１０９でＨＤＤ読出しが終了すると、１ページ目の画像処理実行部はステップ５１１０で回転用メモリの獲得を画像メモリ管理部４１１２へ要求する。画像メモリ管理部４１１２はこれに応じてステップ５１１１で回転用メモリの面管理テーブルの実行中フラグに１を立てるとともに先頭ブロックを１ページ目の画像処理実行部へ通知し、１ページ目の画像処理実行部はステップ５１１２でＨＤＤ読出し用メモリを入力画像、回転用メモリを出力画像として回転処理を開始する。
【００６２】
ここで、２ページ目のプリントページ処理部４０９０から、２ページ目の画像ページ処理部４１００へ２ページ目の処理開始が通知されると、画像処理決定部は１ページ目と同様に２ページ目の画像処理を決定し、テーブル５３０１を生成してステップ５１１４でテーブル５３０１を用いて２ページ目の画像処理決定を画像メモリ管理部４１１２へ通知する。画像メモリ管理部４１１２はテーブルを１ページ目と比較し、ここではテーブルの内容が同じであるため、画像メモリの配分を変えないことを決定する。続けて、画像処理決定部がステップ５１１５で２ページ目の画像処理開始を２ページ目の画像処理実行部へ通知すると、２ページ目の画像処理実行部はステップ５１１６でＨＤＤ読出し用メモリの獲得を画像メモリ管理部へ要求する。画像メモリ管理部はＨＤＤ読出し用メモリの面管理テーブルを調べ、ここでは１ページ目の画像処理実行部の回転処理の入力画像としてＨＤＤ読出し用メモリが使用されているため面管理テーブルの実行中フラグに１が入っているため、ステップ５１１６では要求に対する通知を行わず、画像メモリ管理部４１１２内部の獲得待ちキューに要求をキューイングする。
【００６３】
ステップ５１１８において１ページ目の画像処理実行部の回転処理が終了すると、１ページ目の画像処理実行部はステップ５１１９においてＨＤＤ読出し用のメモリ解放を画像メモリ管理部へ通知し、続けてステップ５１２０で回転用メモリに格納された回転後の画像データを入力画像としてプリントを開始する。画像メモリ管理部はステップ５１１９のＨＤＤ読出し用メモリの解放通知でＨＤＤ読出し用メモリの実行中フラグを０にする。ここで、画像メモリ管理部４１１２は獲得待ちキューを調べ、獲得待ちキューにキューイングされていた２ページ目の画像処理実行部のＨＤＤ読出し用メモリ獲得要求に対してＨＤＤ読出し用メモリのアドレスを通知する。２ページ目の画像処理実行部ではこの通知に応じてステップ５１２１でＨＤＤ読出しを開始し、ステップ５１２５でＨＤＤ読出しが終了するとステップ５１２６で回転用メモリの獲得を画像メモリ管理部に要求する。画像メモリ管理部４１１２は、前述のＨＤＤ読出し用メモリの場合と同様に、回転用メモリ上の画像が１ページ目のプリント処理の入力画像として使用されているため、この要求を獲得待ちキューにキューイングする。ステップ５１２８で１ページ目のプリントが終了すると１ページ目の画像処理実行部はステップ５１２９で回転用メモリの解放を画像メモリ管理部４１１２に通知し、画像メモリ管理部４１１２は回転用メモリのアドレスを画像処理実行部に通知して、ステップ５１３１で２ページ目の画像処理実行部は回転処理を開始する。
【００６４】
ここで、３ページ目のプリントページ処理部４０９０から、３ページ目の画像ページ処理部４１００へ３ページ目の処理開始が通知されると、画像処理決定部は１ページ目、２ページ目と同様に画像パスを決定する。ここでは、ＨＤＤ上に蓄積されている画像データの色空間が１ページ目、２ページ目と違うため、決定した画像処理内容はテーブル５２０３のようになる。ステップ５１３３でテーブル５２０３の内容が画像処理決定部から画像メモリ管理部４１１２へ通知されると、画像メモリ管理部はテーブル５２０３とテーブル５２０２の目標圧縮率および画像サイズを比較し、サイズが異なるため、画像メモリの配分の変更が必要であると判断する。ステップ５１３４で３ページ目の画像処理開始が３ページ目の画像処理実行部に通知され、それに応じて３ページ目の画像処理実行部はＨＤＤ読出し用メモリの獲得をステップ５１３６で画像メモリ管理部４１１２に通知するが、画像メモリ管理部４１１２は３ページ目の処理において画像メモリの配分の変更が必要であると判断しているため、メモリ獲得要求には応じず、獲得待ちキューへキューイングする。ステップ５１３８からステップ５１４５では２ページ目の画像処理実行部は前述の１ページ目の処理と同様に回転、プリントを実行し、ステップ５１４５で回転用のメモリ解放を画像メモリ管理部へ通知する。画像メモリ管理部は２ページ目の回転用のメモリ解放をもって２ページ目の処理が終了したと判断し、ステップ５１４６で画像メモリの配分を決定し、ＨＤＤ読出し用、色空間変換用、変倍用のメモリをそれぞれ確保する。そして、ステップ５１４７で獲得待ちキューにある３ページ目のＨＤＤ読出し用メモリ要求に応じてＨＤＤ読出し用メモリのアドレスを３ページ目の画像処理実行部へ通知する。以降、ステップ５１４８からステップ５１７２において３ページ目の画像処理実行部と画像メモリ管理部４１１２が３ページ目の処理を実行するが、１ページ目、２ページ目と同様な処理のため説明は省略する。
【図面の簡単な説明】
【００６５】
【図１】画像形成システムの全体構成を示す図
【図２】画像形成装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像形成装置の入出力デバイス外観図
【図８】画像形成装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】本発明の画像メモリの管理方法を示す説明図
【図１６】本発明の画像処理実行時の画像メモリの獲得方法を説明するシーケンス図
【図１７】本発明の画像処理パスの表現を説明する模式図
【図１８】本発明の画像処理実行時の画像処理実行データの表
【符号の説明】
【００６６】
２００、２２０、２３０  画像形成装置
２００１  ＣＰＵ
２００２  ＲＡＭ
２００３  ＲＯＭ
２００４  ＨＤＤ
２００５  操作部Ｉ／Ｆ
２００６  操作部（ＵＩ）
２００７  Ｎｅｔｗｏｒｋ
２００８  ＬＡＮ
２０１０  画像バス
２０１１  ＩｍａｇｅＢｕｓＩ／Ｆ
２０１２  圧縮器
２０１３  伸張器
２０１５  カラースキャナ
２０１７  カラープリンタ
２０５０  Ｍｏｄｅｍ
２０５１  公衆回線（ＷＡＮ）
２０５２  ２値画像回転
２０５３  ２値画像圧縮・伸張
２０７０  スキャナ部
２０９５  プリンタ部
２１１２、２２１２、２３１２  操作部
２２００、２３００  Ｃｏｎｔｒｏｌｌｅｒ  Ｕｎｉｔ
２２７０、２３７０  スキャナ部
２２９５、２３９５  プリンタ部
【図１】
2005275857.tif 000003
【図２】
2005275857.tif 000004
【図３】
2005275857.tif 000005
【図４】
2005275857.tif 000006
【図５】
2005275857.tif 000007
【図６】
2005275857.tif 000008
【図７】
2005275857.tif 000009
【図８】
2005275857.tif 000010
【図９】
2005275857.tif 000011
【図１０】
2005275857.tif 000012
【図１１】
2005275857.tif 000013
【図１２】
2005275857.tif 000014
【図１３】
2005275857.tif 000015
【図１４】
2005275857.tif 000016
【図１５】
2005275857.tif 000017
【図１６】
2005275857.tif 000018
【図１７】
2005275857.tif 000019
【図１８】
2005275857.tif 000020